(57)【要約】    【課題】  設置・収容作業が簡単で軽量の防雪柵を提供すること。    【解決手段】  防雪柵１は、複数の防雪板２、２、・・・と、防雪板２が固定されるためのフレーム３と、防雪板２をフレーム３に固定するための支持構造４とからなるものであって、防雪板２は長手方向が縦方向に固定されていることを、主たる構成とする。防雪板２は、リサイクルＦＲＰその他のＦＲＰにより形成するものとすることができる。また防雪板２はその断面形状をアール状とし、かつ表面にアール上の突条を設けることにより、強度を高めることができる。【選択図】  図１
2010265664.tif 000002
【特許請求の範囲】
【請求項１】
複数の防雪板と、該防雪板が固定されるためのフレームと、該防雪板を該フレームに固定するための支持構造とからなる防雪柵であって、該防雪板は長手方向が縦方向に固定されていることを特徴とする、防雪柵。
【請求項２】
前記防雪板は、防雪作用面側に凸状となるよう形成されていることを特徴とする、請求項１に記載の防雪柵。
【請求項３】
前記防雪板は長手方向に垂直な断面が円弧状に形成されていることを特徴とする、請求項２に記載の防雪柵。
【請求項４】
前記防雪板には長手方向に突条が複数設けられていることを特徴とする、請求項２または３に記載の防雪柵。
【請求項５】
前記突条は長手方向に垂直な断面が円弧状に形成されていることを特徴とする、請求項４に記載の防雪柵。
【請求項６】
前記支持構造は、前記防雪板を表裏各方向から挟み込み固定するための一対の挟持材を二対以上備えていることを特徴とする、請求項１ないし５のいずれかに記載の防雪柵。
【請求項７】
前記支持構造は前記挟持材およびフレーム固定用連結手段からなり、かかる構成によって前記フレームとして既設のフレームを用いて構成可能であることを特徴とする、請求項１ないし６のいずれかに記載の防雪柵。
【請求項８】
複数の防雪板と、これらを長手方向が縦方向となるよう固定するためのフレームと、該防雪板を該フレームに固定するための支持構造とからなる防雪柵に用いることのできる防雪板であって、防雪作用面側に凸状となるよう形成されていることを特徴とする、防雪板。
【請求項９】
前記防雪板には長手方向に突条が複数設けられていることを特徴とする、請求項８に記載の防雪板。
【請求項１０】
前記防雪板は長手方向両端に妻板部が斜めに形成されており、全体形状が略舟形であることを特徴とする、請求項８または９に記載の防雪板。
【請求項１１】
前記防雪板は、雪の吹き溜まり防止のために、長手方向一端側が円弧状その他の流線形状に形成されていることを特徴とする、請求項８ないし１０のいずれかに記載の防雪板。
【請求項１２】
前記防雪板は非金属製の複合材料により形成されていることを特徴とする、請求項８ないし１１のいずれかに記載の防雪板。
【請求項１３】
前記防雪板は再生ＦＲＰまたはその他のＦＲＰにより形成されていることを特徴とする、請求項８ないし１１のいずれかに記載の防雪板。
【請求項１４】
前記防雪板は、フィラーとしてホタテ貝殻またはその他の貝類の貝殻を用いたＦＲＰにより形成されていることを特徴とする、請求項８ないし１１のいずれかに記載の防雪板。
【請求項１５】
前記防雪板は、ＦＲＰを溶解して回収したフィラーを用いたＦＲＰにより形成されていることを特徴とする、請求項８ないし１１のいずれかに記載の防雪板。
【請求項１６】
前記防雪板は、既存のフィラーを用いたＦＲＰにより形成されていることを特徴とする、請求項８ないし１１のいずれかに記載の防雪板。
【請求項１７】
前記フィラーは、下記〈Ｆ〉群うちの少なくともいずれか一つであることを特徴とする、請求項１４ないし１６のいずれかに記載の防雪板。
〈Ｆ〉群：ミルドファイバー（粉末化ないしは微粉末化したガラス繊維）、炭酸カルシウム、タルク、シリカ、珪砂、貝殻粉末。
【請求項１８】
請求項８ないし１７のいずれかに記載の防雪板を用いた防雪柵。
【発明の詳細な説明】
【技術分野】
【０００１】
本発明は防雪柵および防雪板に係り、特に、安全性・作業性の高い防雪柵および防雪板に関するものである。
【背景技術】
【０００２】
防雪柵は、青森県の県管理道路において、約２６４ｋｍが設置されている。この防雪柵は道路の路側に設置される固定式といわれるものであり、昭和６０年頃から年間１０ｋｍ程度が継続して設置され、現在に至っている。市町村道や直轄国道を含めると設置距離は４００ｋｍを超える。
【０００３】
防雪柵は、道路の路側に設置し、春に下部へ収容したものを次の冬には立ち上げるだけで済む、という具合に、設置および収容が簡単に行えることが最大の特徴である。なお防雪柵に関しては従来多くの技術的提案もなされているが、後掲特許文献１はそのうちの一つであり、翼型風路偏向板の強度が高く、組み付け性が良く、取り扱い安全性が高い防雪柵の提供を目的とした技術を開示したものである。
【先行技術文献】
【特許文献】
【０００４】
【特許文献１】特開２００５−２３２７２２号公報「防雪柵」
【発明の概要】
【発明が解決しようとする課題】
【０００５】
しかし、設置から２０年を経過したものや、海沿いなどの立地環境が厳しい場所では、柵の更新が必要となってきており、より耐久性に優れた防雪柵を望む声も強い。
【０００６】
また、特許文献開示のものも含め、従来の防雪柵は相当の重量を有するものであるため、いかに設置・収容が簡単とはいっても、小型のクレーンを用いる等の労力と費用がかかってしまう。さらに、設置・収容作業中に作業員が巻き込まれてしまう事故も後を絶たない。実際に死亡事故も多発している。したがって、より一層設置・収容作業の簡単な防雪柵、さらにはより軽量な防雪柵を望む現場の声が非常に強い。
【０００７】
本発明が解決しようとする課題は、これら従来技術の問題点を除き、従来よりも設置・収容作業が簡単な防雪柵、さらに従来よりも軽量な防雪柵、およびそれを構成するための防雪板を提供することである。
【課題を解決するための手段】
【０００８】
本願発明者は上記課題について検討した結果、従来は横向きに金属製防雪板を固定して防雪柵としていたものを、縦立させて設置する防雪板により防雪柵を構成することにより、さらには防雪板材料として金属材料よりも軽量のものを用いることによってかかる課題を解決できることに想到し、本発明に至った。すなわち、上記課題を解決するための手段として本願で特許請求される発明、もしくは少なくとも開示される発明は、以下の通りである。
【０００９】
（１）  複数の防雪板と、該防雪板が固定されるためのフレームと、該防雪板を該フレームに固定するための支持構造とからなる防雪柵であって、該防雪板は長手方向が縦方向に固定されていることを特徴とする、防雪柵。
（２）  前記防雪板は、防雪作用面側に凸状となるよう形成されていることを特徴とする、（１）に記載の防雪柵。
（３）  前記防雪板は長手方向に垂直な断面が円弧状に形成されていることを特徴とする、（２）に記載の防雪柵。
（４）  前記防雪板には長手方向に突条が複数設けられていることを特徴とする、（２）または（３）に記載の防雪柵。
【００１０】
（５）  前記突条は長手方向に垂直な断面が円弧状に形成されていることを特徴とする、（４）に記載の防雪柵。
（６）  前記支持構造は、前記防雪板を表裏各方向から挟み込み固定するための一対の挟持材を二対以上備えていることを特徴とする（１）ないし（５）のいずれかに記載の防雪柵。
（７）  前記支持構造は前記挟持材およびフレーム固定用連結手段からなり、かかる構成によって前記フレームとして既設のフレームを用いて構成可能であることを特徴とする、（１）ないし（６）のいずれかに記載の防雪柵。
【００１１】
（８）  複数の防雪板と、これらを長手方向が縦方向となるよう固定するためのフレームと、該防雪板を該フレームに固定するための支持構造とからなる防雪柵に用いることのできる防雪板であって、防雪作用面側に凸状となるよう形成されていることを特徴とする、防雪板。
（９）  前記防雪板には長手方向に突条が複数設けられていることを特徴とする、（８）に記載の防雪板。
（１０）  前記防雪板は長手方向両端に妻板部が斜めに形成されており、全体形状が略舟形であることを特徴とする、（８）または（９）に記載の防雪板。
（１１）  前記防雪板は、雪の吹き溜まり防止のために、長手方向一端側が円弧状その他の流線形状に形成されていることを特徴とする、（８）ないし（１０）のいずれかに記載の防雪板。
【００１２】
（１２）  前記防雪板は非金属製の複合材料により形成されていることを特徴とする、（８）ないし（１１）のいずれかに記載の防雪板。
（１３）  前記防雪板は再生ＦＲＰまたはその他のＦＲＰにより形成されていることを特徴とする、（８）ないし（１１）のいずれかに記載の防雪板。
（１４）  前記防雪板は、フィラーとしてホタテ貝殻またはその他の貝類の貝殻を用いたＦＲＰにより形成されていることを特徴とする、（８）ないし（１１）のいずれかに記載の防雪板。
【００１３】
（１５）  前記防雪板は、ＦＲＰを溶解して回収したフィラーを用いたＦＲＰにより形成されていることを特徴とする、（８）ないし（１１）のいずれかに記載の防雪板。
（１６）  前記防雪板は、既存のフィラーを用いたＦＲＰにより形成されていることを特徴とする、（８）ないし（１１）のいずれかに記載の防雪板。
（１７）  前記フィラーは、下記〈Ｆ〉群うちの少なくともいずれか一つであることを特徴とする、（１４）ないし（１６）のいずれかに記載の防雪板。
〈Ｆ〉群：ミルドファイバー（粉末化ないしは微粉末化したガラス繊維）、炭酸カルシウム、タルク、シリカ、珪砂、貝殻粉末。
（１８）  （８）ないし（１７）のいずれかに記載の防雪板を用いた防雪柵。
【発明の効果】
【００１４】
本発明の防雪柵および防雪板は上述のように構成されるため、設置は従来のような上下方向への設置ではなく縦に並べることを基本とするので、転落事故も防止できるなど、従来よりも設置・撤去・収容作業の危険性が大幅に低下し、かつ作業としても簡単となる。したがって、従来よりも低労力かつ低費用にて設置・撤去・収容することができる。小型クレーン等の使用も敢えて不要とすることができる。さらに維持管理コストも低減することができる。
【００１５】
特に、防雪板を非金属製の複合材料により形成した本発明によれば、従来よりも軽量となるために、設置・撤去・収容作業は一層簡単かつ安全となり、一層低労力かつ低費用にて設置・撤去・収容することができる。さらに小型クレーン等の使用はまったく不要とすることができる。
【００１６】
また、軽量であるために、設置・撤去・収容作業中に作業員が巻き込まれてしまう事故を有効に防止することができ、設置・撤去・収容・維持管理作業において、死亡事故を含む人身事故発生もゼロとすることができる。
【００１７】
また、防雪板をＦＲＰにより形成した本発明によれば、これが軽量・高強度を備えた材料であるため、上述の作業の安全性は一層向上し、もちろん防雪柵としての強度もまったく問題がない。
【００１８】
ＦＲＰ製のものによればその上、優れた耐久性および優れた耐食性を備えるため、防雪柵としての耐用年数も延長させることができ、維持コストも有利となり、海沿い（岸壁、海岸その他）などの立地環境が厳しい場所においても、柵の更新時期を相当期間先延ばしすることができる。さらに耐食性に優れるため、長く美観を保つことができ、周囲景観との調和性にも優れる。
【００１９】
また、本発明に係る防雪板の材料として、従来からコストをかけて大量に廃棄されてきた産業廃棄物である貝殻等を用いたリサイクルＦＲＰを用いることにより、コストを一層低下させることができる。
【００２０】
また、防雪作用面側を凸状ないしアール状とした防雪板、あるいはこれに加えてアール状等の突条を表面に設けた防雪板を用いた本発明によれば、板の曲げ強度が高いため、防雪板、防雪柵としての強度が大きく、耐久性に優れ、優れた防雪効果を得ることができる。
【００２１】
また、長手方向両端に妻板部を斜めに形成して全体形状を略舟形とした防雪板を用いた本発明によれば、防雪板に一定の規格化を行った場合には、各防雪板同士を重ねることができるため、収容の際に省スペースとなり、便利である。
【００２２】
本発明の防雪柵では、既存のフレーム（支柱等による）を用いることができるため、古い防雪板を取り外した後のフレームに、本発明に係る防雪板と支持構造を用いることによって、容易に、上述各利点を備えた本発明防雪柵を形成することができる。
【図面の簡単な説明】
【００２３】
【図１】本発明の防雪柵の構成例を示す正面図である。
【図１−２】図１の本発明防雪柵構成例に係る防雪板の構成を示す正面図である。
【図２】図１の本発明防雪柵構成例の側面図である。
【図３】図１の本発明防雪柵構成例に係るフレームを示す正面図である。
【図４】図１−２の防雪板の断面図である。
【図５】図１の本発明防雪柵構成例に係る防雪板の支持方法を示す断面図である。
【図６】本発明防雪板の実施例を示す斜視写真図である。
【図７】図６の実施例に係る端面写真図である。
【発明を実施するための形態】
【００２４】
以下、図面により本発明を詳細に説明する。
図１は、本発明の防雪柵の構成例を示す正面図である。また、
図１−２は、図１の本発明防雪柵構成例に係る防雪板の構成を示す正面図、
図２は、図１の本発明防雪柵構成例の側面図、そして、
図３は、図１の本発明防雪柵構成例に係るフレームを示す正面図である。これらに図示するように本発明防雪柵１は、複数の防雪板２、２、・・・と、防雪板２が固定されるためのフレーム３と、防雪板２をフレーム３に固定するための支持構造４とからなるものであって、防雪板２は長手方向が縦方向に固定されていることを、主たる構成とする。
【００２５】
かかる構成により本防雪柵１は、防雪板２を、従来と異なり上下方向への設置ではなく長手方向が縦方向になるように固定して形成されるものであるため、防雪板２を支持構造４によってフレーム３に設置する場合、撤去・収容する場合にも、転落事故も防止できるなど、従来よりも作業時の危険性が大幅に低下し、かつ作業が簡単となり、安全性および作業性を大いに向上することができる。
【００２６】
図１−２は、図１の本発明防雪柵構成例に係る防雪板の構成を示す正面図である。図示するように本発明に係る防雪板２は、防雪作用面側に凸状となるようにこれを形成するものとすることができる。かかる構成により、防雪板２の曲げ強度が高くなるため、防雪柵１としても強度が大きくなり、耐久性に優れ、優れた防雪効果を得ることができる。
【００２７】
図４は、図１−２の防雪板の断面図である。また、
図５は、図１の本発明防雪柵構成例に係る防雪板の支持方法を示す断面図である。これらに図示するように防雪板２は、長手方向に垂直な断面が円弧状に形成された構造とすることができる。かかる構成とすることにより、防雪板２の曲げ強度が一層高くなるため、防雪柵１としても強度が大きくなり、耐久性に優れ、優れた防雪効果を得ることができる。なお、本発明に係る突条の断面形状が凸状や円弧状に限定されるものではない。
【００２８】
また、上述各図に示すように、防雪板２には長手方向に突条５を複数設けた構成とすることもできる。この突条５は、図示するように円弧状とすることができる。かかる構成とすることにより、防雪板２の曲げ強度が一層高くなるため、雪が吹き付ける方向Ｓに対して防雪柵１としても抵抗力、強度が大きくなり、耐久性に優れ、優れた防雪効果を得ることができる。なお、本発明に係る突条の断面形状が凸状や円弧状に限定されるものではない。
【００２９】
図５に示すように本防雪柵１の支持構造（４）は、具体的にはたとえば、防雪板２を表裏各方向から挟み込み固定するための一対の挟持材６Ａ、６Ｂを二対以上備えた構成とすればよい。
【００３０】
そして、支持構造（４）はかかる挟持材６Ａおよび６Ｂを二対以上備えることに加え、フレーム固定用連結手段７を備える構成によって、フレーム３の支柱３Ｖや、あるいは横棒３Ｈに対して連結固定し、防雪板２を支持固定することができる。ここでフレーム３としては、上述したように既設のフレームを用いても構成可能である。
【００３１】
なお、支持構造の具体的構成は上述のものに限定されない。本発明では、防雪板をフレーム上に支持固定するための支持構造として、従来公知の各種の支持構造、支持手段を、適宜用いることができる。
【００３２】
図１−２に示すように、本発明の防雪板２は、長手方向両端に妻板部８が斜めに形成されていて、全体形状が略舟形である構成とすることができる。かかる構成とすることにより、防雪柵１から外した状態においては、一方の防雪板２を他方の防雪板２に収容して、防雪板２、２同士を重ねた状態にすることができるため、収容の際に省スペースとなり、便利である。
【００３３】
なお図示しないが、本発明に係る防雪板は、雪の吹き溜まり防止のために、長手方向一端側を円弧状、あるいはその他の流線形状に形成した構成とすることもできる。
【００３４】
本発明に係る防雪板は、金属製であった従来のものとは異なり、非金属製の複合材料により形成するものとすることができる。特に、再生ＦＲＰまたはその他のＦＲＰを用いることは、軽量であって安全性や作業性に優れること、強度・耐久性・耐食性においても優れることなどから、望ましい。
【００３５】
とりわけ、再生ＦＲＰは、コストをかけて処理される産業廃棄物を材料として用いることもでき、コスト面で有利である。たとえば、フィラーとしてホタテ貝殻またはその他の貝類の貝殻を用いたＦＲＰを、本発明に係る防雪板の原料として好適に用いることができる。
【００３６】
図６は、ホタテ貝殻粉末をフィラーとして用いた再生ＦＲＰを原料として製作した、本発明防雪板の実施例を示す斜視写真図、また、図７は図６の実施例に係る端面写真図である。
【００３７】
なお防雪板をＦＲＰにより製造する場合、ＦＲＰを溶解して回収したフィラーを用いて二次的に製造したＦＲＰを使用してもよいし、また、既存のフィラーを用いたＦＲＰを使用してもよい。また、フィラーとしては、ミルドファイバー（粉末化ないしは微粉末化したガラス繊維）、炭酸カルシウム、タルク、シリカ、珪砂、貝殻粉末等、従来公知のものを適宜、単独であるいは適宜の組合せで用いてもよい。
【産業上の利用可能性】
【００３８】
以上述べた通り、本発明によれば、安全性・作業性・コスト・強度・耐久性・維持管理・景観維持に優れた防雪柵を提供することができる。たとえば青森県においては、従来、防雪柵部材購入および設置のための工事費が年間約５億５千万円にも昇っている。このように相当の費用を要する防雪柵であるが、本発明を導入することによって、道路維持管理費を相当程度縮減することが可能である。したがって、産業上利用性が高い発明である。
【符号の説明】
【００３９】
１…防雪柵
２…防雪板
３…フレーム
３Ｈ…横棒
３Ｖ…支柱
４…支持構造
５…突条
６Ａ、６Ｂ…挟持材
７…フレーム固定用連結手段
８…妻板部
ＧＬ…設置面
Ｓ…雪が吹く方向
２２…防雪板
２５…突条
２８…妻板部
【図１】
2010265664.tif 000003
【図１−２】
2010265664.tif 000004
【図２】
2010265664.tif 000005
【図３】
2010265664.tif 000006
【図４】
2010265664.tif 000007
【図５】
2010265664.tif 000008
【図６】
2010265664.tif 000009
【図７】
2010265664.tif 000010